(57)【要約】【課題】処理対象の選択状態が異なる場合に、複数の表示領域に処理内容を表示するものと比較して、限られた表示領域内に処理内容を表示することができる表示装置、画像処理装置及びプログラムを提供する。【解決手段】表示操作装置２４は、処理の内容を表示する処理内容表示部４８と、前記処理内容表示部４８に表示された前記処理の対象を表示する処理対象表示部４４と、前記処理対象表示部４４に表示された対象を選択する処理対象選択部４６と、前記対象選択部４６により選択された処理の対象に対する選択状態が異なる場合、異なる処理内容を前記処理内容表示部４８の同一の表示領域に表示するように制御する表示制御部と、を有する。【選択図】図４
2020064506.tif 000002
【特許請求の範囲】
【請求項１】
処理の内容を表示する処理内容表示部と、
前記処理内容表示部に表示された前記処理の対象を表示する処理対象表示部と、
前記処理対象表示部に表示された前記処理の対象を選択する処理対象選択部と、
前記処理対象選択部により選択された前記処理の対象に対する選択状態が異なる場合、異なる処理内容を前記処理内容表示部の同一の表示領域に表示するように制御する表示制御部と、
を有する表示装置。
【請求項２】
前記表示制御部は、前記処理対象選択部により選択された処理の対象が全て選択されていない場合と、前記処理対象選択部により選択された処理の対象の少なくとも一つが選択された場合とで異なる処理内容を表示する請求項１記載の表示装置。
【請求項３】
前記表示制御部は、前記処理対象選択部により選択された処理の対象が全て選択されていない場合は、全ての処理の対象を処理する旨を処理内容として表示する請求項２記載の表示装置。
【請求項４】
前記表示制御部は、前記処理対象選択部により選択された処理の対象が全て選択されている場合と、前記処理対象選択部により選択された処理の対象の一部が選択された場合とで異なる処理内容を表示する請求項１記載の表示装置。
【請求項５】
前記処理対象選択部は、処理対象の選択を受け付ける処理対象選択受付部を兼ねている請求項１から４いずれか記載の表示装置。
【請求項６】
前記処理内容表示部は、処理の実行を指示する処理実行指示部を兼ねている請求項１から５いずれか記載の表示操作装置。
【請求項７】
画像処理を実行する画像処理実行部と、
前記画像処理実行部により処理する処理内容を表示する表示装置とを有し、
前記表示装置は、
処理の内容を表示する処理内容表示部と、
前記処理内容表示部に表示された前記処理の対象を表示する処理対象表示部と、
前記処理対象表示部に表示された前記対象を選択する処理対象選択部と、
前記処理対象選択部により選択された前記処理の対象に対する選択状態が異なる場合、異なる処理内容を前記処理内容表示部の同一の表示領域に表示するように制御する表示制御部と、
を有する画像処理装置。
【請求項８】
前記処理内容表示部は、前記画像処理実行部による画像処理の実行を指示する処理実行指示部を兼ねている請求項７記載の画像処理装置。
【請求項９】
処理の内容を表示するステップと、
表示された前記処理の対象を表示するステップと、
表示された前記処理の対象を選択するステップと、
選択された処理の対象に対する選択状態が異なる場合、異なる処理内容を同一の表示領域に表示するように制御するステップと、
を有するコンピュータに実行させるためのプログラム。
【発明の詳細な説明】
【技術分野】
【０００１】
本発明は、表示装置、画像処理装置及びプログラムに関する。
【背景技術】
【０００２】
特許文献１は、コピースタートスイッチの操作によりコピーを開始し、コピーストップスイッチの操作によってコピーを中止するように構成した複写機において、前記コピースタートスイッチをコピー中のみコピーストップスイッチとして用いることによって、コピースタートスイッチとコピーストップスイッチとを一つの操作スイッチにより兼用させて成ることを特徴とする複写機を開示する。
【０００３】
特許文献２は、スキャン開始ボタンに代えて、スキャナに追加スキャンを開始させるための追加スキャン開始ボタンを表示させるようにした画像スキャンシステムを開示する。
【先行技術文献】
【特許文献】
【０００４】
【特許文献１】実開昭５９−５８４５７号公報
【特許文献２】特開２００５−６４９４４号
【発明の概要】
【発明が解決しようとする課題】
【０００５】
本発明は、処理対象の選択状態が異なる場合に、複数の表示領域に処理内容を表示するものと比較して、限られた表示領域内に処理内容を表示することができる表示装置、画像処理装置及びプログラムを提供することを目的としている。
【課題を解決するための手段】
【０００６】
請求項１に係る本発明は、処理の内容を表示する処理内容表示部と、前記処理内容表示部に表示された前記処理の対象を表示する処理対象表示部と、前記処理対象表示部に表示された前記処理の対象を選択する処理対象選択部と、前記処理対象選択部により選択された処理の対象に対する選択状態が異なる場合、異なる処理内容を前記処理内容表示部の同一の表示領域に表示するように制御する表示制御部と、を有する表示装置である。
【０００７】
請求項２に係る本発明は、前記表示制御部は、前記処理対象選択部により選択された処理の対象が全て選択されていない場合と、前記処理対象選択部により選択された処理の対象の少なくとも一つが選択された場合とで異なる処理内容を表示する請求項１記載の表示装置である。
【０００８】
請求項３に係る本発明は、前記表示制御部は、前記処理対象選択部により選択された処理の対象が全て選択されていない場合は、全ての処理の対象を処理する旨を処理内容として表示する請求項２記載の表示装置である。
【０００９】
請求項４に係る本発明は、前記表示制御部は、前記処理対象選択部により選択された処理の対象が全て選択されている場合と、前記処理対象選択部により選択された処理の対象の一部が選択された場合とで異なる処理内容を表示する請求項１記載の表示装置である。
【００１０】
請求項５に係る本発明は、前記処理対象選択部は、処理対象の選択を受け付ける処理対象選択受付部を兼ねている請求項１から４いずれか記載の表示装置である。
【００１１】
請求項６に係る本発明は、前記処理内容表示部は、処理の実行を指示する処理実行指示部を兼ねている請求項１から５いずれか記載の表示操作装置である。
【００１２】
請求項７に係る本発明は、画像処理を実行する画像処理実行部と、前記画像処理実行部により処理する処理内容を表示する表示装置とを有し、前記表示装置は、処理の内容を表示する処理内容表示部と、前記処理内容表示部に表示された前記処理の対象を表示する処理対象表示部と、前記処理対象表示部に表示された前記処理の対象を選択する処理対象選択部と、前記処理対象選択部により選択された処理の対象に対する選択状態が異なる場合、異なる処理内容を前記処理内容表示部の同一の表示領域に表示するように制御する表示制御部と、を有する画像処理装置である。
【００１３】
請求項８に係る本発明は、前記処理内容表示部は、前記画像処理実行部による画像処理の実行を指示する処理実行指示部を兼ねている請求項７記載の画像処理装置ある。
【００１４】
請求項９に係る本発明は、処理の内容を表示するステップと、表示された前記処理の対象を表示するステップと、表示された対象を選択するステップと、選択された処理の対象に対する選択状態が異なる場合、異なる処理内容を同一の表示領域に表示するように制御するステップと、を有するコンピュータに実行させるためのプログラムである。
【発明の効果】
【００１５】
請求項１、７又は９に係る本発明によれば、処理対象の選択が異なる場合に、複数の表示領域に処理内容を表示するものと比較して、限られた表示領域内に処理内容を表示することができる。
【００１６】
請求項２に係る本発明によれば、処理の対象を選択しない場合と選択した場合とにより処理内容を区別することができる。
【００１７】
請求項３に係る本発明によれば、請求項１又は２に係る本発明の効果に加えて、処理の対象を選択していない場合は、全ての処理の対象を選択したように処理内容を表示することができる。
【００１８】
請求項４に係る本発明によれば、請求項１に係る発明の効果に加えて、処理の対象の全てを選択したか又は一部を選択したかにより処理内容を区別することができる。
【００１９】
請求項５に係る本発明によれば、請求項１から４いずれかに係る発明の効果に加えて、処理の対象の表示を見ながら処理対象を選択することができる。
【００２０】
請求項６又は８に係る本発明によれば、請求項１から５いずれかに係る本発明又は請求項７に係る発明の効果に加えて、処理内容を確認しながら処理の実行を指示することができる。
【図面の簡単な説明】
【００２１】
【図１】本発明の実施形態に係る画像処理装置を有する画像処理システムを示すブロック図である。
【図２】本発明の実施形態に係る画像処理装置のハードウエアを示すブロック図である。
【図３】本発明の実施形態に係る画像処理装置の動作フローを示すフローチャートである。
【図４】本発明の実施形態に係る画像処理装置において、表示操作装置に示される表示画面を示し、図４（ａ）は初期化された表示画面、図（ｂ）はジョブを選択した場合の表示画面である。
【発明を実施するための形態】
【００２２】
次に、本発明の実施の形態について図面を参照して詳細に説明する。
図１は、本発明の実施形態に係る画像処理装置１２を有する画像処理システム１０の全体を示す。
【００２３】
画像処理システム１０は、例えば複数の画像処理装置１２，１２、複数のパーソナルコンピュータ１４ａ，１４ｂ及びサーバ１６がネットワーク１８を介して接続されている。ネットワーク１８は、ローカルエリアネットワークでもよいし、インターネットでもよい。また、画像処理装置１２，１２は、画像読取部２０，２０、画像形成部２２，２２及び表示操作装置２４を有し、画像読取機能、印刷機能、ファクシミリ機能等を有する、いわゆる複合機である。
【００２４】
サーバ１６は、例えばパーソナルコンピュータ１４ａ，１４ｂにより印刷指示された文書データや画像処理装置１２，１２で読み取った文書データを格納したりする。また、サーバ１６は、画像処理装置１２，１２及びパーソナルコンピュータ１４ａ，１４ｂを使用するユーザのユーザ名、ユーザＩＤ及びパスワード等の認証情報を管理するようにしてもよい。ただし、ユーザの認証を行うためにサーバ１６とは別に認証サーバを設けるようにしてもよい。
【００２５】
表示操作装置２４は、例えば液晶ディスプレイとタッチパネルとが組み合わせて構成され、表示された操作ボタンを押すことにより画像処理装置１２を操作することができるようになっている。
【００２６】
図２は、画像処理装置１２のハードウエアを示すブロック図である。
画像処理装置１２は、主制御部２６を有し、この主制御部２６は、ＣＰＵ２８、メモリ３０、記憶装置３２、通信インターフェイス３４、機器制御部インターフェイス３６及び表示制御装置インターフェイス３８を有し、これらＣＰＵ２８、メモリ３０、記憶装置３２、通信インターフェイス３４、機器制御部インターフェイス３６及び表示制御装置インターフェイス３８がバス４０を介して接続されている。
【００２７】
ＣＰＵ１８は、メモリ２０に格納された制御プログラムに基づいて予め定められた処理を実行する。記憶装置２２は、例えばハードディスクから構成され、必要とされるソフトウエアやデータが記憶されている。通信インターフェイス３４は、前述したネットワーク１８に接続され、ネットワーク１８を介してデータの入出力を行う。
【００２８】
機器制御部インターフェイス３６には、機器制御部４２が接続されている。機器制御部４２は、前述した画像読取部２０及び画像形成部２２に接続され、これら画像読取部２０及び画像形成部２２を制御するようになっている。また、表示操作装置インターフェイス３８には、前述した表示操作装置２４が接続されている。
【００２９】
パーソナルコンピュータ１４ａ，１４ｂにおいて、文書を印刷したい場合は、パーソナルコンピュータ１４ａ，１４ｂにおけるアプリケーションから印刷を指示すると、プリンタドライバが起動し、印刷の範囲、記録媒体のサイズや向き、印刷部数、白黒/カラーの選択等を行い、サーバ１６に送信し、サーバ１６においてジョブとして登録する。ここで、ジョブとは処理対象をいい、印刷の場合は印刷対象である。このように、サーバ１６にジョブとして登録されると、画像処理装置１２において、サーバ１６に登録されたジョブを読み出し、いずれの画像処理装置１２においても印刷できるようになる。
なお、ジョブには、パーソナルコンピュータ１４ａ，１４ｂにより作成した文書に限らず、スマートフォンやタブレットに記憶された文書であってサーバ１６に登録された文書、及び外部データベースから取得した文書等が含まれる。
【００３０】
図３は、主制御部２６における動作フローを示すフローチャートである。
【００３１】
まずステップＳ１０において、表示操作装置２４の表示画面を初期化する。初期化された表示画面は、図４（ａ）に示すように、処理対象表示部４４、処理対象選択部４６及び処理内容表示部４８に分かれている。処理対象表示部４４は、認証されたユーザが登録した処理の対象となるジョブが表示される。ジョブの表示は、登録した日時順であったり、印刷枚数順であったりすることができる。ここでは、７つのジョブが縦列に表示されているが、画面を下方にスクロールすることによりさらに多数のジョブを表示することができる。また、この処理対象表示部４４には、詳細表示ボタン５０が設けられている。この詳細表示ボタン５０を押すと、ジョブの詳細、例えば印刷の範囲、記録媒体のサイズや向き、印刷部数、白黒/カラーの選択等が表示される。
【００３２】
処理対象選択部４６は、処理対象表示部４４に表示されたジョブと並列に例えばチェックボックス形式で表示されている。全てのジョブを選択していない場合は、ジョブ選択部４６のチェックボックス内が白で表示される。一方、一つのジョブを選択した場合は、対応する処理対象選択部４６のチャックボックスが黒に反転し、チェックした印が表示される（図４（ｂ）参照）。また、処理対象選択部４６には、全部のジョブを選択する全処理選択ボタン５２にが設けられている。この全処理選択ボタン５２を押すと、全てのジョブが選択され、チェックボックスにはチェックが入るようになる。一方、全ジョブが選択された状態でこの全処理選択ボタン５２を押した場合は、全ジョブの選択が解除される。
【００３３】
処理内容表示部４８は、第１の表示部５４と第２の表示部５６とを有する。第１の表示部５４は、処理内容表示部４８の中央にあって、ジョブ選択部４６で一つのジョブも選択されていない状態にあっては、例えば「Ｊｏｂ  Ｐｒｉｎｔ」と表示される。ジョブ選択部４６で例えば２つのジョブが選択された場合は、図４（ｂ）に示すように、「Ｊｏｂ  Ｐｒｉｎｔ（２）」というように、２つのジョブが選択されたことを表示する。
【００３４】
第２の表示部５６は、画面に右上端に設けられている。この第２の表示部５６は、処理実行指示部であるスタートボタンを兼ねている。処理対象選択部４６で全てのジョブを選択していない場合は、「Ｐｒｉｎｔ  Ａｌｌ」と表示され、このままスタートボタンを押すと、全てのジョブに対して印刷を行うことを表示する。一方、処理対象選択部４６で少なくとも一つのジョブを選択した場合は、「Ｐｒｉｎｔ」と表示され、このままスタートボタンを押すと、処理対象選択部４６で選択されたジョブに対して印刷を行うことを表示する。「Ｐｒｉｎｔ  Ａｌｌ」と「Ｐｒｉｎｔ」とは同一の表示領域に表示されることになる。
なお、処理内容表示部４８には、リセットボタン５８が設けられ、このリセットボタン５８を押すことによりそれまでに選択された内容をリセットするようになっている。
【００３５】
図３に戻り、ステップＳ１０において初期画面を表示した後はステップＳ１２に進み、スタートボタンを押したか否かを判定する。このステップＳ１２において、スタートボタンが押されたと判定された場合は、ステップＳ１４に進み、全てのジョブに対応する印刷を実行する。一方、ステップＳ１２において、スタートボタンが押されていないと判定された場合は、ステップＳ１６に進む。
【００３６】
ステップＳ１６においては、処理対象選択部４６でジョブの選択がされたか否かを判定する。このステップＳ１６において、ジョブの選択がされていないと判定された場合はステップＳ１０に戻り、初期画面が表示されたままの状態とする。一方、ステップＳ１６において、ジョブの選択がされたと判定された場合は、ステップＳ１８に進み、処理内容表示部４８の表示内容を変更する。即ち、第１の表示部５２においては、図４（ａ）に示す「Ｊｏｂ  Ｐｒｉｎｔ」という表示から、図４（ｂ）に示す「Ｊｏｂ  Ｐｒｉｎｔ（ジョブ選択数）」という表示に変更し、また、第２の表示部５４においては、図４（ａ）に示す「Ｐｒｉｎｔ  Ａｌｌ」という表示から、図４（ｂ）に示す「Ｐｒｉｎｔ」という表示に変更する。
なお、処理対象選択部４６で選択された場合に「Ｊｏｂ  Ｐｒｉｎｔ（ジョブ選択数）」という表示をしているが、第２の表示部５６の表示を「Ｐｒｉｎｔ（ジョブ選択数）」としてもよいし、第１の表示部５４や第２の表示部５６には（ジョブ選択数）なる表示を行わないようにしてもよい。
【００３７】
次のステップＳ２０においては、スタートボタンが押されたか否かを判定する。このステップＳ２０において、スタートボタンが押されていないと判定された場合はステップＳ２０の処理を繰り返し、スタートボタンが押されるまで待機する。一方、このステップＳ２０において、スタートボタンが押されたと判定された場合はステップＳ２２に進み、選択されたジョブに対応する印刷を実行する。
【００３８】
前述したステップＳ１４又はステップＳ２２の処理が終了すると、ステップＳ１０に戻り、初期画面を表示するようになる。
【００３９】
なお、上記実施形態においては、表示操作装置２４は、表示機能と操作機能とを合わせ持つ装置として説明したが、表示機能のみからなる表示装置であってもよい。例えばスタートボタンは別の部分に設けられ、配線により表示装置に接続されていてもよい。また、表示装置とは別に例えばマウス等のポインティングデバイスを接続し、ジョブの選択を行うようにしてもよい。
【００４０】
また、上記実施形態においては、画像形成部の制御を行うための表示装置について説明したが、他の画像処理、例えば画像読取部の制御を行う表示装置についても応用することができる。例えば処理対象表示部に表示されるジョブの代わりに読み取った画像を格納することができる複数のファイルを表示し、いずれのファイルも選択されていない状態にあっては、処理内容表示部４８の処理内容を「プリスキャン」と表示し、このプリスキャンボタンを押すと、読み取った原稿のプリスキャン画像を表示し、一方、いずれかのファイルを選択すると、処理内容表示部４８の処理内容を「スキャン」と表示し、選択されたファイルに読み取った画像を格納するようにしてもよい。また、さらに他の実施形態として、処理対象表示部に表示されるジョブの代わりに読み取った複数の画像のサムネイル画像を表示し、いずれのサムネイル画像が選択されていない場合は、スキャンオールと表示して全ての読み取り画像をファイルに格納し、いずれかの画像が選択された場合は、スキャンと表示し、選択された画像のみをファイルに格納するようにしてもよい。
【符号の説明】
【００４１】
１０    画像処理システム
１２    画像処理装置
１４    パーソナルコンピュータ
１６    サーバ
１８    ネットワーク
２０    画像読取部
２２    画像形成部
２４    表示操作装置
２６    主制御部
２８    ＣＰＵ
３０    メモリ
３２    記憶装置
３４    通信インターフェイス
３６    機器制御部インターフェイス
３８    表示操作装置インターフェイス
４０    バス
４２    機器制御部
４４    処理対象表示部
４６    処理対象選択部
４８    処理内容表示部
５０    詳細表示ボタン
５２    全対象選択ボタン
５４    第１の表示部
５６    第２の表示部
５８    リセットボタン
【図１】
2020064506.tif 000003
【図２】
2020064506.tif 000004
【図３】
2020064506.tif 000005
【図４】
2020064506.tif 000006